(57)【要約】【課題】肥育中食用哺乳動物、特に肥育牛の肥育状態と肥育仕上げ時期を客観的に判断可能で、的確な飼育管理と飼料コスト低減につながる食用哺乳動物肥育状態および仕上がり時期の判定方法を提供する。【解決手段】肥育中食用哺乳動物体内部におけるトリアシルグリセロールの分子種組成に基いてその食用哺乳動物の肥育状態および仕上がり時期を判定することを特徴とする肥育仕上がり判定方法。前記トリアシルグリセロールの分子種組成の肥育中の変化を解析することによって判定するのが好ましく、前記哺乳動物生体からの脂肪の分析で検出される複数のトリアシルグリセロールの分子種のうち２種の分子種を組合せて、そのいずれかの分子種組成をＸ値とし、他の分子種組成をＹ値として、Ｘ軸とＹ軸を備えた二次元座標軸に、それら２種の分子種組成をＸＹプロットしたグラフから判定するのが特に好ましい。【選択図】図５
2008212093.tif 000002
【特許請求の範囲】
【請求項１】
肥育中食用哺乳動物体内部におけるトリアシルグリセロールの分子種組成に基いてその食用哺乳動物の肥育状態および仕上がり時期を判定することを特徴とする肥育仕上がり判定方法。
【請求項２】
前記トリアシルグリセロールの分子種組成の肥育中の変化を解析することによって肥育中食用哺乳動物の肥育状態および仕上がり時期を判定する請求項１に記載の肥育仕上がり判定方法。
【請求項３】
前記哺乳動物生体からの脂肪の分析で検出される複数のトリアシルグリセロールの分子種のうち２種の分子種を組合せて、そのいずれかの分子種組成をＸ値とし、他の分子種組成をＹ値として、Ｘ軸とＹ軸を備えた二次元座標軸に、それら２種の分子種組成をＸＹプロットしたグラフから肥育中食用哺乳動物の肥育状態および仕上がり時期を判定する請求項１または２に記載の肥育仕上がり判定方法。
【請求項４】
前記グラフ上でのＸＹプロット位置が、肥育が進むにつれて、仕上げの終了時期を示す領域に収束し、そのＸＹプロット位置から肥育中食用哺乳動物の肥育状態および仕上がり時期を判定する請求項３に記載の肥育仕上がり判定方法。
【請求項５】
前記トリアシルグリセロールの分子種組成をガスクロマトグラフィーで分析し、前記Ｘ軸とＹ軸を備えた二次元座標軸として二次元ＸＹ直交座標軸を用い、前記２種の分子種の組み合わせのうちいずれかの分子種組成を示すＸ値およびＹ値が、それぞれ、肥育中食用哺乳動物生体から採取した脂肪試料全体に対する重量百分率で示される請求項３または４に記載の肥育仕上がり判定方法。
【請求項６】
前記２種の分子種がＰＰＰと他のいずれかの分子種の組合せである請求項３〜５のいずれか１項に記載の肥育仕上がり判定方法。
【請求項７】
前記２種の分子種がＰＰＰとＰＰＯの組合せ、ＰＰＰとＰＳＯの組合せ、およびＰＰＰとＰＯＬの組合せから選ばれる１組の組合せである請求項３〜６のいずれか１項に記載の肥育仕上がり判定方法。
【請求項８】
前記２種の分子種がＰＰＰとＰＰＯの組合せであって、ＰＰＰ１％以下、かつＰＰＯ６％以下の領域が仕上げの終了時期を示す領域である請求項４〜６のいずれか１項に記載の肥育仕上がり判定方法。
【請求項９】
前記２種の分子種がＰＰＰとＰＳＯの組合せであって、ＰＰＰ１％以下、かつＰＳＯ３％以下の領域が仕上げの終了時期を示す領域である請求項４〜６のいずれか１項に記載の肥育仕上がり判定方法。
【請求項１０】
前記２種の分子種がＰＰＰとＰＯＬの組合せであって、ＰＰＰ１％以下、かつＰＯＬ９％以上の領域が仕上げの終了時期を示す領域である請求項４〜６のいずれか１項に記載の肥育仕上がり判定方法。
【請求項１１】
前記２種の分子種がＰＰＯとＰＯＬの組合せである請求項３〜５のいずれか１項に記載の肥育仕上がり判定方法。
【請求項１２】
前記２種の分子種がＰＰＯとＰＯＬの組合せであって、ＰＰＯ６％以下、かつＰＯＬ９％以上の領域が仕上げの終了時期を示す領域である請求項４または５に記載の肥育仕上がり判定方法。
【請求項１３】
食用哺乳動物が牛である請求項１〜１２のいずれか１項に記載の肥育仕上がり判定方法。
【請求項１４】
牛が黒毛和種である請求項１３に記載の肥育仕上がり判定方法。
【発明の詳細な説明】
【技術分野】
【０００１】
本発明は、食用哺乳動物（単に食用動物ということがある）の肥育仕上がり判定方法に関する。更に詳しくは、牛や豚等の食用動物、特に牛の肥育仕上がりの判定方法に関するものであり、食用動物、特に肉用牛の肥育状態及び仕上がり時期の判定方法を客観的な方法として提供するものである。
【背景技術】
【０００２】
食用哺乳動物としては、牛や豚が代表的である。牛を例にして述べると、牛肉の格付項目には、大別して「歩留等級」と「肉質等級」とがある。「歩留等級」は「一頭から取れる肉量」を表しており、所定の計算式から求めた数値で示される割合（％）で枝肉から正肉が取れることを表す。「肉質等級」は、脂肪交雑、肉の色沢、肉の締まりときめ、脂肪の色沢と質の４項目で判定され、これら４項目の中で最も低い等級を”最終的な”肉質等級として格付される。牛肉の卸売市場価格はこの”最終的な”肉質等級によって決まる。この肉質等級の項目間の関連性については、本発明者らは、以前に統計解析をし、「脂肪交雑」の程度が、「肉の色調」、「締まりときめ」に極めて強く関連していることを明らかにしている。このことは、脂肪交雑の程度が、他の項目を左右し、この程度が生体の時に予め解れば、仕上げに適した時期が解ることを示している。脂肪交雑の程度を客観的に知る方法として、Ｘ線、ＭＲＩ、ＣＴスキャン、超音波エコーなどの方法があるが、いずれも機器が高価であり、携帯性が無く現場で使いにくい、使うのに熟練がいるなどの欠点がある。このことから、通常の仕上げ時期の判断は、従来、単に月齢だったり、外観から判断したりしている。すなわち、牛や豚等の食用哺乳動物、肉用牛の肥育方法についても、一般的な方法は成書などに記載されてはいるものの、実際には、基本的な方法をベースにして、各畜産組合毎、肥育農家毎などで独立した肥育方法がある。これらの方法は、多くの場合機密事項であって、外部には出ないものであり、食用動物の肥育の状態及び仕上り段階の判断は、経験的に、牛や豚等の食用哺乳動物の外観や動作などの観察から行われているのが実情である。
【０００３】
仕上げは、牛や豚等の食用哺乳動物の種類によって異なるが、牛を例にして述べると、黒牛として知られる黒毛和種では、以前には３６ヶ月齢、最近では３２ヶ月齢での出荷を目標にして行われていることが多い。もちろん３０ヶ月齢未満での出荷もある。出荷時期（仕上がり状態）の経験的判断は熟練を要し、的確な判断が出来るまでになるには相当の期間がかかる。すなわち、出荷時期における肉質等級の判断と実際の評価との相違は卸売市場価格に影響し、また、いたずらに肥育期間を延ばすと飼育コストが上がって経営を圧迫することになる。従って、だれにでも客観的に肥育状態及び仕上がり時期を判断できる手法の開発が求められている。
【０００４】
食用動物の肥育状態及び仕上がり時期を判断する手法には、これまで、（１）ＣＴスキャンやＭＲＩなどの医療用機器を応用して的確に判断出来るものの、装置自体が極めて高価で設置場所も限られるもの（例えば、特許文献１：特開平９−８９８０８に記載の食用動物評価用ＣＴスキャナ）、（２）ヒト内科用の超音波エコーの応用は携帯性はあるものの画像の判断には熟練が求められ、且つ機器がそれなりに高価であるもの（例えば、特許文献２：特開平１０−１５１１３０に記載の食用動物用超音波診断装置）、（３）生体から採取した試料（血液、脂肪など）の成分分析によるもの等がある。
【０００５】
これらの中で、（３）の生体から採取した試料、すなわち、血液、脂肪などの成分分析によるものは比較的安価に分析出来るものが多く、ここで言う脂肪の分析もその一つである。脂肪は血液からの場合は血液の血清から抽出したもの、皮下脂肪の場合は直接採取したものである。分析には、高速液体クロマトグラフィー（ＨＰＬＣ）、あるいはガスクロマトグラフィー（ＧＣ）などがある。ＨＰＬＣ装置は高価であるが、ガスクロマトグラフィー装置はＨＰＬＣ装置に比べると安価である。また、分析後のデータ解析にも熟練はいらず、簡単に行える。
【０００６】
【特許文献１】特開平９−８９８０８号公報
【特許文献２】特開平１０−１５１１３０号公報
【発明の開示】
【発明が解決しようとする課題】
【０００７】
本発明は、畜産における食用哺乳動物の肥育分野への利用を目指したものである。牛を例にして述べると、従来、肥育牛の肥育状況（状態）や肥育仕上げ時期の判断は、肥育牛の肥育月齢や体重の推移や、肥育担当者の経験に依存する肥育牛の外観観察などから行われており、必ずしも正確な判断が行われていないという現状である。このため、肥育仕上げ経過あるいは仕上げ適期の判断には、客観的なデータに基づく判断が求められており、そのための方法を開発した。この方法の実施は、初期投資としては肥育牛一頭（黒毛和種）分の費用で行うことができる。これによって、肥育中食用哺乳動物、特に肥育牛の正確な肥育状況の把握と肥育仕上げ時期の推定と判断が客観的に可能になり、効率的な肥育が行え、更に飼料の余剰給与が防止できるなどの肥育経費の削減などにつながる。
【課題を解決するための手段】
【０００８】
牛や豚等の食用哺乳動物の肥育中における肥育状態の把握は外見的観察によることが主体であるが、本発明者らは、食用哺乳動物として牛の肥育中に牛体内部における化学成分特に皮下脂肪（トリアシルグリセロール：ＴＧ）の分子種組成を分析し、この組成が肥育中に変化することを発見し、この組成変化の把握、解析によって肥育中食用哺乳動物、特に牛の肥育状態および肥育仕上げ時期の判定ができることを見出し、本発明を完成するに至った。
【０００９】
すなわち、本発明は以下の構成からなる。
１．肥育中食用哺乳動物体内部におけるトリアシルグリセロールの分子種組成に基いてその食用哺乳動物の肥育状態および仕上がり時期を判定することを特徴とする肥育仕上がり判定方法。
２．前記トリアシルグリセロールの分子種組成の肥育中の変化を解析することによって肥育中食用哺乳動物の肥育状態および仕上がり時期を判定する前記１に記載の肥育仕上がり判定方法。
３．前記哺乳動物生体からの脂肪の分析で検出される複数のトリアシルグリセロールの分子種のうち２種の分子種を組合せて、そのいずれかの分子種組成をＸ値とし、他の分子種組成をＹ値として、Ｘ軸とＹ軸を備えた二次元座標軸に、それら２種の分子種組成をＸＹプロットしたグラフから肥育中食用哺乳動物の肥育状態および仕上がり時期を判定する前記１または２に記載の肥育仕上がり判定方法。
４．前記グラフ上でのＸＹプロット位置が、肥育が進むにつれて、仕上げの終了時期を示す領域に収束し、そのＸＹプロット位置から肥育中食用哺乳動物の肥育状態および仕上がり時期を判定する前記３に記載の肥育仕上がり判定方法。
５．前記トリアシルグリセロールの分子種組成をガスクロマトグラフィーで分析し、前記Ｘ軸とＹ軸を備えた二次元座標軸として二次元ＸＹ直交座標軸を用い、前記２種の分子種の組み合わせのうちいずれかの分子種組成を示すＸ値およびＹ値が、それぞれ、肥育中食用哺乳動物生体から採取した脂肪試料全体に対する重量百分率で示される前記３または４に記載の肥育仕上がり判定方法。
６．前記２種の分子種がＰＰＰと他のいずれかの分子種の組合せである前記３〜５のいずれか１項に記載の肥育仕上がり判定方法。
７．前記２種の分子種がＰＰＰとＰＰＯの組合せ、ＰＰＰとＰＳＯの組合せ、およびＰＰＰとＰＯＬの組合せから選ばれる１組の組合せである前記３〜６のいずれか１項に記載の肥育仕上がり判定方法。
８．前記２種の分子種がＰＰＰとＰＰＯの組合せであって、ＰＰＰ１％以下、かつＰＰＯ６％以下の領域が仕上げの終了時期を示す領域である前記４〜６のいずれか１項に記載の肥育仕上がり判定方法。
９．前記２種の分子種がＰＰＰとＰＳＯの組合せであって、ＰＰＰ１％以下、かつＰＳＯ３％以下の領域が仕上げの終了時期を示す領域である前記４〜６のいずれか１項に記載の肥育仕上がり判定方法。
１０．前記２種の分子種がＰＰＰとＰＯＬの組合せであって、ＰＰＰ１％以下、かつＰＯＬ９％以上の領域が仕上げの終了時期を示す領域である前記４〜６のいずれか１項に記載の肥育仕上がり判定方法。
１１．前記２種の分子種がＰＰＯとＰＯＬの組合せである前記３〜５のいずれか１項に記載の肥育仕上がり判定方法。
１２．前記２種の分子種がＰＰＯとＰＯＬの組合せであって、ＰＰＯ６％以下、かつＰＯＬ９％以上の領域が仕上げの終了時期を示す領域である前記４または５に記載の肥育仕上がり判定方法。
１３．食用哺乳動物が牛である前記１〜１２のいずれか１項に記載の肥育仕上がり判定方法。
１４．牛が黒毛和種である前記１３に記載の肥育仕上がり判定方法。
【発明の効果】
【００１０】
本発明によれば、下記（１）〜（４）の作用効果が得られる。
（１）肥育中における肥育状態の良否をグラフから判定できるので、肥育中食用哺乳動物、特に牛の肥育状態を客観的に判定できる。
（２）肥育の仕上げ時期になると、二次元グラフ上でのプロット位置が収束され、仕上げ時期の判定ができるので、肥育中食用哺乳動物、特に肥育牛の肥育仕上げ時期を客観的に判定できる。
（３）付随的に、肥育における飼養管理方法の改善につながるので、肥育中食用哺乳動物、特に肥育牛の飼養管理が的確に行える。
（４）肥育用飼料の改善などが行えるので、肥育に掛かる飼料コスト低減などができる。
【発明を実施するための最良の形態】
【００１１】
「脂肪」（「脂質」、「全脂質」、「トリアシルグリセロール」、「トリグリセリド」等と呼ばれることがある）、特に哺乳動物の生体から直接採取した皮下脂肪の脂肪酸組成を分析すると、オレイン酸（Ｃ１８：１，Ｏ）、パルミトレン酸（Ｃ１６：１，Ｐｏ）が肥育中に多くなり、ステアリン酸（Ｃ１８：０，Ｓ）やパルミチン酸（Ｃ１６：０，Ｐ）が減少することはよく知られている。しかし、脂肪酸組成は、脂肪（トリアシルグリセロール）の間接的性質を求めたものであり、哺乳動物の脂肪の性質を直接決定づけているのはトリアシルグリセロールの分子種組成である。トリアシルグリセロールの分子種とは、グリセロール１分子に、３分子の脂肪酸がエステル結合したものであり、脂肪酸の組合せは膨大な数に上る。しかし、主要な脂肪酸として検出される脂肪酸の種類は６種類程度であることから、確率的には少なくなり、更に、脂肪細胞におけるトリアシルグリセロール（ＴＧ）生合成メカニズム（殆ど未解明、本発明者らのいくつかのデータがあるのみ）からの考察からは、さらに種類は少なくなると考えられる。そこで、本発明者らは、食用哺乳動物肥育中の体内脂肪酸組成と分子種組成の変化に着目した。
【００１２】
分子種組成の分析は、オリーブ油やコーン油などの植物油では組成が簡単なため高速液体クロマトグラフィー（ＨＰＬＣ）でも分析が可能であるが、哺乳動物の分子種には５００種類以上が存在するため、ＨＰＬＣでは正確には分析できない。一方、ガスクロマトグラフィー（ＧＣ）では、比較的容易に分析が可能である。以上のことから、哺乳動物の分子種の分析方法として特に好ましいと考えられるガスクロマトグラフィーを選択し、脂肪のトリアシルグリセロール分子種組成の分析を基にした肥育食用哺乳動物の肥育状態および仕上げ時期の推定方法の研究開発を試み、これに成功した。
【００１３】
本発明の手法を用いると、牛や豚等の食用哺乳動物、特に牛、例えば黒毛和牛、褐毛和牛、アバディーンアンガス種などの肉牛、ホルスタイン種去勢牛、乳牛等、一般的な肉用牛であれば品種により限定されることなく、客観的に肥育状態および仕上げ時期（出荷時期）が判断できる。以下、牛の場合を例にして説明する。牛生体からの脂肪は、次のようにして採取する。先ず、牛を常法で保定した後、例えば、尾の付け根の左側の脂肪がついている部分の毛を約５×５ｃｍ程度刈り取り、アルコール消毒した後、局部麻酔をし、メスで１ｃｍ長くらい皮膚を切り、そこにバイオプシー用の針を脂肪層に入れて、脂肪組織を構成している脂肪細胞５〜１０ｍｇを採取する。採取した脂肪試料は分析に供する。好ましくは、ガスクロマトグラフィーで分析する。すなわち、牛の肥育中に好ましくはその臀部から皮下脂肪を採取し、これを有機溶媒好ましくはアセトンあるいはクロロホルム等の脂溶性有機溶媒に溶解し、その溶液をガスクロマトグラフィーに供して、脂肪のＴＧ分子種組成を分析する。
【００１４】
本発明の肥育仕上がり判定方法では、肥育中食用哺乳動物体内部におけるトリアシルグリセロールの分子種組成に基いてその食用哺乳動物の肥育状態および仕上がり時期を判定する。肥育中食用哺乳動物体内部におけるトリアシルグリセロールの分子種組成は、前記哺乳動物生体からの脂肪の分析で検出することができる。前記脂肪の分析で検出されたトリアシルグリセロールの分子種組成の肥育中の変化を解析することによって肥育中食用哺乳動物の肥育状態および仕上がり時期を判定することができる。前記トリアシルグリセロールの分子種組成の肥育中の変化を解析する方法としては、前記哺乳動物生体からの脂肪の分析で検出される複数のトリアシルグリセロールの分子種のうち２種の分子種を組合せて、そのいずれかの分子種組成をＸ値とし、他の分子種組成をＹ値として、Ｘ軸とＹ軸を備えた二次元座標軸に、それら２種の分子種組成をＸＹプロットしたグラフから肥育中食用哺乳動物の肥育状態および仕上がり時期を判定する方法が好ましい。前記グラフ上でのＸＹプロット位置が、肥育が進むにつれて、仕上げの終了時期を示す領域に収束し、そのＸＹプロット位置から肥育中食用哺乳動物の肥育状態および仕上がり時期を判定することができる。前記トリアシルグリセロールの分子種組成はガスクロマトグラフィーで分析するのが好ましい。前記Ｘ軸とＹ軸を備えた二次元座標軸としては、二次元ＸＹ直交座標軸が好ましい。前記２種の分子種の組み合わせのうちいずれかの分子種組成を示すＸ値およびＹ値が、それぞれ、肥育中食用哺乳動物生体から採取した脂肪試料全体に対する重量百分率で示されるのが通常である（本明細書中、パーセント（％）は重量百分率を表す）。
【００１５】
肥育中食用哺乳動物生体から採取した脂肪試料の分析は、好ましくはガスクロマトグラフィーにより、前記脂肪試料中の各トリアシルグリセロール分子種の脂肪試料全体に対する組成割合（％）をその分子種組成として求める。ガスクロマトグラフィーの分析条件は、トリアシルグリセロール分子種をガスクロマトグラフィーにより分析する自体公知の分析条件で足りる。例えば、脂肪試料（サンプル）中の各トリアシルグリセロール分子種の組成分析は、一般的なトリアシルグリセロール分子種の組成分析用の手法により、使用カラムは、例えば、フロンティアラボ社製の「ＵＡ+−６５」を使用して、分析温度３５０〜３６０℃で、１℃／１分で昇温させながら分析することができる。
【００１６】
肥育中食用哺乳動物として牛、牛として黒毛和種を選び、牛肥育中の脂肪酸組成および分子種組成の変化を調べた。結果を図１、および図２に示す。なお、脂肪酸組成は、脂肪試料中の脂肪酸分析により、一般的な脂肪酸分析用の手法によって、例えば、脂肪酸を塩酸（ＨＣｌ）でエステル結合を加水分解し、脂肪酸をメチルエステル化して、一般的な脂肪酸分析用カラムを用いてガスクロマトグラフィーで分析することができる。図１の脂肪酸組成では、肥育中にパルミチン酸（Ｃ１６：０）とステアリン酸（Ｃ１８：０）は減少し、パルミトレイン酸（Ｃ１６：１）とオレイン酸（Ｃ１８：１）は増加しているものの、これら１種の含量からの仕上げ時期の判断は困難である。同様に、図２に示した主要な分子種の組成のみからでは、正確な仕上げ時期の判断は難しい。
【００１７】
そのため、検出された脂肪酸、または分子種のうち、各々２種の成分を選び、組み合わせてそれら２種の成分の関係を二次元ＸＹ直交座標軸にＸＹプロットしてその二次元グラフから肥育状態および仕上がり時期を判断する方法を検討対象として考えた。検出された複数の脂肪酸のうちの２種を組み合わせてＸＹプロットを作成し、その相関および各月齢間の分離度を解析したところ、脂肪酸の組合せでは、一定の相関は認められるが、各月齢間の分離度は満足するものではなかった（例：図３）。
【００１８】
ガスクロマトグラフィーによる分析で検出された分子種の中で、比較的含量が多く、肥育中に消失したり極端な変化がない分子種を選びＸＹプロットを作成したところ、いくつかの組合せで、相関が高く、月齢間の分離度がよい組合せが見出された。それらの例を図４〜８に示した。これらの中では、ＰＰＰを組み合わせたもの（図６〜８）に良好な相関と分離度が認められた。前記ＰＰＰを組み合わせたＸＹプロットでは、ＰＰＰの全体的な含量が少なく、固体によっては検出できない場合があるが、このような場合は、ＰＰＯとＰＯＬの組合せが相関、分離度共に良好である（図４，５）。図４〜８のいずれの場合も、二次元グラフ上でのＸＹプロット位置が、肥育が進むにつれて、仕上げの終了時期を示す領域に収束し、そのプロット位置から肥育状態および仕上げ時期を判定することができる。すなわち、例えば、図４，５では、ＰＰＯ含量が６％以下、かつＰＯＬ含量が９％以上の領域にそれら２種の分子種組成がＸＹプロットされると、仕上げの終了時期であると判定することができる。
【実施例】
【００１９】
以下に実施例を示し、本発明を更に詳細に説明するが、これにより本発明は何ら限定されるものではない。
実施例１
宮城県の肥育農家で飼育されていた肉用牛（品種名：黒毛和種）について、その皮下脂肪から採取した脂肪試料（脂肪細胞）中のトリアシルグリセロール分子種組成をガスクロマトグラフィー（ＧＣ）により分析した。分析時期の月齢は１１ヶ月、１９ヶ月、２６ヶ月であった。分析条件を下記に示す。
ＧＣ機種：ＨＰ６８９０（ヒューレットパッカード社）
カラム  ：ＵＡ+−６５；直径0.25ｍｍ，長さ１５ｍ（フロンティアラボ社）
分析温度：３２０℃→３５０℃（昇温）
使用ガス：ヘリウム，流速0.5ｍＬ／分
上記ガスクロマトグラフィー（ＧＣ）で検出されたトリアシルグリセロール分子種組成の保持時間 (Retention Time) は下記の通りであった。
ＰＰＰ：１３．０分
ＰＰＯ：１６．３分
ＰＳＯ：１８．８分
ＰＯＬ：１９．８分
【００２０】
脂肪試料中のトリアシルグリセロール分子種ＰＰＰ（パルミチン酸：パルミチン酸：パルミチン酸）の組成（％）と他のトリアシルグリセロール分子種の組成（％）間の相関に着目し、ＰＰＰとＰＰＯ（パルミチン酸：パルミチン酸：オレイン酸）、ＰＰＰとＰＳＯ（パルミチン酸：ステアリン酸：オレイン酸）、およびＰＰＰとＰＯＬ（パルミチン酸：オレイン酸：リノール酸）の各分子種組成（％）間の相関を調べた。それらの結果を各々図６（ＰＰＰとＰＰＯ）、図７（ＰＰＰとＰＳＯ）、および図８（ＰＰＰとＰＯＬ）に示す。図６から、ＰＰＰが１％以下、かつＰＰＯが６％以下の領域にそれら２種の分子種組成がＸＹプロットされると、仕上げの終了時期であると判定することができる。図７から、ＰＰＰが１％以下、かつＰＳＯが３％以下の領域にそれら２種の分子種組成がＸＹプロットされると、仕上げの終了時期であると判定することができる。図８から、ＰＰＰが１％以下、かつＰＯＬが９％以上の領域にそれら２種の分子種組成がＸＹプロットされると、仕上げの終了時期であると判定することができる。このように、本発明では、トリアシルグリセロール分子種としてＰＰＰを組み合わせた各分子種組成（％）間の相関、および分離度が良好であることが判る。
【００２１】
脂肪試料中のトリアシルグリセロール分子種ＰＰＯ（パルミチン酸：パルミチン酸：オレイン酸）とＰＯＬ（パルミチン酸：オレイン酸：リノール酸）の各分子種組成（％）間の相関を調べた。結果を図４に示す。図４から、ＰＰＯが６％以下、かつＰＯＬが９％以上の領域にそれら２種の分子種組成がＸＹプロットされると、仕上げの終了時期であると判定することができる。前記ＰＰＰの全体的な含量が少なく、固体によっては検出できない場合は、このＰＰＯとＰＯＬの組合せからの判定が有効である。
【００２２】
実施例２
宮城県の肥育農家で飼育されていた肉用牛（品種名：黒毛和種）について、その皮下脂肪から採取した脂肪試料（脂肪細胞）中のトリアシルグリセロール分子種組成をガスクロマトグラフィー（ＧＣ）により分析した。分析時期の月齢は１０ヶ月、１６．５ヶ月、２２ヶ月、３０ヶ月であった。分析条件を下記に示す。
ＧＣ機種：ＨＰ６８９０（ヒューレットパッカード社）
カラム  ：ＵＡ+−６５；直径0.25ｍｍ，長さ１５ｍ（フロンティアラボ社）
分析温度：３２０℃→３５０℃（昇温）
使用ガス：ヘリウム，流速0.5ｍＬ／分
上記ガスクロマトグラフィー（ＧＣ）で検出されたトリアシルグリセロール分子種組成の保持時間 (Retention Time) は下記の通りであった。
ＰＰＯ：１６．３分
ＰＯＬ：１９．８分
【００２３】
脂肪試料中のトリアシルグリセロール分子種ＰＰＯ（パルミチン酸：パルミチン酸：オレイン酸）とＰＯＬ（パルミチン酸：オレイン酸：リノール酸）の各分子種組成（％）間の相関を調べたところ、相関が特に良好（相関係数（ｒ）０．８８９４）で、かつ月齢による分離も良好であった（図５）。図５から、ＰＰＯが６％以下、かつＰＯＬが９％以上の領域にそれら２種の分子種組成がＸＹプロットされると、仕上げの終了時期であると判定することができる。
【００２４】
以上、食用哺乳動物としての牛、牛としての黒毛和種の肥育段階毎の皮下脂肪トリアシルグリセロール分子種組成の分析から、肥育状態が良好で出荷状態にある食用哺乳動物としての牛では、二次元グラフ上でのＸＹプロットが収束領域内にあった（図４〜８参照）。すなわち、本発明によれば、食用哺乳動物としての牛の肥育状態および仕上がり時期を、肥育中食用哺乳動物としての牛体内部における脂肪のトリアシルグリセロール分子種組成を測定することによって、前記分子種組成に基き、客観的に判定し、判断することができる。
【産業上の利用可能性】
【００２５】
本発明は、肥育中食用哺乳動物、特に牛や豚の肥育状態と肥育仕上げ時期を客観的に判断可能で、的確な飼育管理と飼料コスト低減につながる食用哺乳動物、特に牛や豚の肥育状態および仕上がり時期の判定方法を提供する。
【図面の簡単な説明】
【００２６】
【図１】月齢による脂肪酸組成（％）の変化を示した図。
【図２】月齢による分子種組成（％）の変化を示した図。
【図３】３Ａ：月齢による（Ｃ１６：１）と（Ｃ１８：０）の各組成（％）間の相関を示した図。３Ｂ：月齢による（Ｃ１４：０）と（Ｃ１６：１）の各組成（％）間の相関を示した図。
【図４】実施例１の月齢によるＰＰＯとＰＯＬの各組成（％）間の相関を示した図。
【図５】実施例２の月齢によるＰＰＯとＰＯＬの各組成（％）間の相関を示した図。
【図６】実施例１の月齢によるＰＰＰとＰＰＯの各組成（％）間の相関を示した図。
【図７】実施例１の月齢によるＰＰＰとＰＳＯの各組成（％）間の相関を示した図。
【図８】実施例１の月齢によるＰＰＰとＰＯＬの各組成（％）間の相関を示した図。
【図１】
2008212093.tif 000003
【図２】
2008212093.tif 000004
【図３】
2008212093.tif 000005
【図４】
2008212093.tif 000006
【図５】
2008212093.tif 000007
【図６】
2008212093.tif 000008
【図７】
2008212093.tif 000009
【図８】
2008212093.tif 000010